(57)【要約】  足に加わる衝撃から足を十分に保護できる。  アウトソール本体１が、足の親指と人差し指の中間相当部１３、親指のつま先側関節相当部１５、及び、薬指のつま先相当部１７に、足指の動作に関連して屈曲する屈曲部１４、１６、１８を備えた。
2020213168.tif 000002
【特許請求の範囲】
【請求項１】
アッパーと一体化されて靴を構成する靴のアウトソール構造であって、
アウトソール本体が、足の親指と人差し指の中間相当部、親指のつま先側関節相当部、及び、薬指のつま先相当部に、足指の動作に関連して屈曲する屈曲部を備えた、
ことを特徴とする靴のアウトソール構造。
【請求項２】
前記アウトソール本体が、足の母趾球相当部、及び、小趾球相当部に、足指の動作に関連して屈曲する屈曲部を備えた、
ことを特徴とする請求項１に記載の靴のアウトソール構造。
【請求項３】
前記アウトソール本体が、前記薬指のつま先相当部と前記小趾球相当部との間に、足指の動作に関連して屈曲する屈曲部を備えた、
ことを特徴とする請求項２に記載の靴のアウトソール構造。
【請求項４】
前記屈曲部が、前記アウトソール本体の裏面に凹み溝を形成して構成されることを特徴とする請求項１〜３の何れかに記載の靴のアウトソール構造。
【請求項５】
前記凹み溝が、前記アウトソール本体の側縁部に開放されることを特徴とする請求項４に記載の靴のアウトソール構造。
【請求項６】
前記アウトソール本体が、底部全域を構成する本体部と、前記本体部の樹脂よりも硬質材料による硬質部と、により一体に樹脂成形され、
前記硬質部は、前記母趾球相当部と前記小趾球相当部とを結ぶ線から、足の踵相当部に至るまでのほぼ全域に配置されていることを特徴とする請求項１〜５の何れかに記載の靴のアウトソール構造。
【請求項７】
前記アウトソール本体が、スパイクシューズのアウトソール本体であることを特徴とする請求項１〜６の何れかに記載の靴のアウトソール構造。
【請求項８】
前記アウトソール本体の前記屈曲部の間にスタッドが配置されていることを特徴とする請求項７に記載の靴のアウトソール構造。
【発明の詳細な説明】
【技術分野】
【０００１】
本発明は、靴のアウトソール構造に関するものである。
【背景技術】
【０００２】
従来、靴のアウトソール構造には、快適に歩き、走るため、安定性、屈曲性、クッション性、保温性、通気性、路面把握性などが要求される。
特に、スポーツをするときには、足に過大な衝撃が加わるために、屈曲性、クッション性などが重要視される（特許文献１参照）。
【先行技術文献】
【特許文献】
【０００３】
【特許文献１】特開平１１-３３２６０６号公報
【発明の概要】
【発明が解決しようとする課題】
【０００４】
しかしながら、従来のアウトソール構造は、スポーツをするときなどに、足に加わる衝撃から足を十分に保護できないことがある。
そこで、本発明の目的は、上述した従来の欠点を解消し、足に加わる衝撃から足を十分に保護できるアウトソール構造を提供することにある。
【課題を解決するための手段】
【０００５】
上記目的を達成するため、本発明は、アッパーと一体化されて靴を構成する靴のアウトソール構造であって、アウトソール本体が、足の親指と人差し指の中間相当部、親指のつま先側関節相当部、及び、薬指のつま先相当部に、足指の動作に関連して屈曲する屈曲部を備えた、ことを特徴としている。
【発明の効果】
【０００６】
本発明によれば、足の様々な動きに応じて、屈曲部を境界として、アウトソール本体が屈曲するため、足に加わる衝撃から足を十分に保護でき、運動性が安定すると共に、足への負担が軽減される。
【図面の簡単な説明】
【０００７】
【図１】図１は、本発明の一実施形態を示す、アウトソールの側面図。
【図２】図２は、同じくアウトソール本体の表面図。
【図３】図３は、同じくアウトソール本体の裏面図。
【図４】図４は、図３のＩＩＩ−ＩＩＩ断面図。
【発明を実施するための形態】
【０００８】
以下に、添付図面を参照して本発明の一実施形態を詳細に説明する。
図１において、１はアウトソール本体を示している。
尚、図1は、左足のアウトソールを示し、右足のアウトソールは左右対称となっているため、その図示は省略している。
アウトソール本体１は樹脂により一体成形されており、革製のアッパー５０に接着(又は溶着)され、一体化されることにより靴が構成される。本実施形態のアウトソール本体１は、サッカースパイクシューズのアウトソールである。
【０００９】
図２は、アウトソール本体１の表面図であり、図３は、アウトソール本体１の裏面図であり、図４は、図３のＩＩＩ−ＩＩＩ断面図である。
アウトソール本体１は、図２及び図３Ａに示すように、底部の全域を構成する樹脂製の本体部２と、本体部２の表面に配置され、該本体部２の樹脂よりも硬質材料による硬質部３と、の２種類の樹脂により一体成形されている。本構成では、本体部２の厚さが、ほぼ２ｍｍであり、硬質部３の厚さが、ほぼ３ｍｍである。
一般に、足の骨格部分には、図３Ａに示すように、母趾球Ｘ、小趾球Ｙ、踵Ｚがある。本明細書では、足の骨格の各部に対応した、アウトソール本体１の相当部分を、母趾球相当部１０、小趾球相当部１１、踵相当部１２などと呼称する。
硬質部３は、母趾球相当部１０と小趾球相当部１１とを結ぶ線Ｌから、足の踵相当部１２に至るまでのほぼ全域に配置されている。硬質部３の表面には、縦に延びる複数の凹み溝のリブ４（図２参照。）が形成され、強度が高められる。
【００１０】
スパイクシューズのアウトソール本体１は、本体部２の厚さが薄く形成され、厚さは２ｍｍ〜４ｍｍ（ほぼ３ｍｍ以下）である。
本実施形態では、厚さの薄い本体部２の裏面に対して、本体部２の厚さのほぼ半分程度の深さ１ｍｍ〜２ｍｍの凹み溝を設けることで、以下に詳述するように、アウトソール本体１の厚さを薄くした第１〜第６屈曲部が形成される。第１〜第６屈曲部は、上にも下にも凸の状態で屈曲するが、屈曲角は、ほぼ９０°以下である。ここで上、下は、アウトソール本体１の表面側から見ての、上、下である。
アウトソール本体１は、図３Ａに示すように、足の親指と人差し指の中間相当部１３に、足指の動作に関連して屈曲する第１屈曲部１４を備えている。第１屈曲部１４は、アウトソール本体１の裏面に対し、図３Ｂに示すように、凹み溝２５を設け、アウトソール本体１の厚さを薄くすることにより形成される。凹み溝２５は、一端２５Ａがアウトソール本体１のつま先先端に開放し、他端２５Ｂが中間相当部１３を縦方向に延びて、アウトソール本体１の奥に行くにつれて、幅が狭くなるように略三角形状に形成されている。凹み溝２５の溝底には、複数条の細かい溝２５Ｃが、縦方向に延びて形成されている。
この構成では、第１屈曲部１４を境界として、アウトソール本体１の左右部分が、足指の動作に関連して屈曲可能である。
【００１１】
アウトソール本体１は、親指のつま先側関節相当部１５に、足指の動作に関連して屈曲する第２屈曲部１６を備えている。第２屈曲部１６は、アウトソール本体１の裏面に対し、図３Ｃに示すように、凹み溝２６を設け、アウトソール本体１の厚さを薄くすることにより形成される。凹み溝２６は、一端２６Ａがアウトソール本体１の側縁部に開放する。凹み溝２６は、他端２６Ｂが親指のつま先側関節相当部１５を横方向に延びて、アウトソール本体１の奥に行くにつれて、幅が狭くなるように略三角形状に形成される。
この構成では、第２屈曲部１６を境界として、アウトソール本体１の前後部分が、足指の動作に関連して屈曲可能である。
【００１２】
アウトソール本体１は、薬指のつま先相当部１７に、足指の動作に関連して屈曲する第３屈曲部１８を備えている。第３屈曲部１８は、上述した第２屈曲部１６と同様にして、凹み溝２７により形成されている。凹み溝２７は、一端２７Ａがアウトソール本体１の側縁部に開放（図1参照。）されると共に、他端２７Ｂがアウトソール本体１のほぼ横方向に延びて、アウトソール本体１の奥に行くにつれ、幅が狭くなるように形成される。
この構成では、第３屈曲部１８を境界とした、アウトソール本体１の前後部分が、足指の動作に関連して屈曲可能である。第３屈曲部１８と、第２屈曲部１６とが協働して、第３屈曲部１８、第２屈曲部１６を境界として、アウトソール本体１の前後部分が、足指の動作に関連して屈曲可能にもなっている。
一般に、足は地面に対して常に平行な状態にあるわけではなく、外側や内側から傾いた状態でも着地することがある。
この構成では、薬指のつま先相当部１７に第３屈曲部１８を備えるので、指を使えやすくなる、という効果が得られる。
【００１３】
アウトソール本体１は、足の母趾球相当部１０に、足指の動作に関連して屈曲する第４屈曲部２０を備える。第４屈曲部２０は、上述した第２屈曲部１６と同様にして、凹み溝２８により形成されている。凹み溝２８は、一端２８Ａがアウトソール本体１の側縁部に開放されると共に、他端２８Ｂがアウトソール本体１のほぼ横方向に延びて、アウトソール本体１の奥に行くにつれて、幅が狭くなるように形成されている。
この構成では、第４屈曲部２０を境界とした、アウトソール本体１の前後部分が、足指の動作に関連して屈曲する。
【００１４】
アウトソール本体１は、小趾球相当部１１に、足指の動作に関連して屈曲する第５屈曲部２２を備えている。第５屈曲部２２は、上述した第２屈曲部１６と同様にして、凹み溝２９により形成されている。凹み溝２９は、一端２９Ａがアウトソール本体１の側縁部に開放（図1参照。）されると共に、他端２９Ｂがアウトソール本体１のほぼ横方向に延びて、アウトソール本体１の奥に行くにつれて、幅が狭くなるように形成されている。
この構成では、第５屈曲部２２を境界とした、アウトソール本体１の前後部分が、足指の動作に関連して屈曲する。第５屈曲部２２と、第４屈曲部２０とが協働して、第５屈曲部２２、第４屈曲部２０を境界とした、アウトソール本体１の前後部分が、足指の動作に関連して屈曲可能にもなっている。
【００１５】
アウトソール本体１は、薬指のつま先相当部１７と小趾球相当部１１の中間部２３に、足指の動作に関連して屈曲する第６屈曲部２４を備えている。第６屈曲部２４は、上述した第２屈曲部１６と同様にして、凹み溝３０により形成されている。
凹み溝３０は、一端３０Ａがアウトソール本体１の側縁部に開放（図1参照。）し、他端３０Ｂがアウトソール本体１のほぼ横方向に延びて、アウトソール本体１の奥に行くにつれて、幅が狭くなるように形成される。凹み溝３０は、第４屈曲部２０の凹み溝２８とほぼ一直線上に配置される。
この構成では、第６屈曲部２４を境界とした、アウトソール本体１の前後部分が、足指の動作に関連して屈曲する。第６屈曲部２４と、第４屈曲部２０とが協働して、第４屈曲部２０、第６屈曲部２４を境界とした、アウトソール本体１の前後部分が、足指の動作に関連して屈曲可能にもなっている。
【００１６】
アウトソール本体１の裏面には、上記結ぶ線Ｌを境界にして、前部に対し、６本のスタッド３１〜３６が配置され、後部に対し、６本のスタッド３７〜４２が配置されている。合計１２本のスタッド３１〜４２は、アウトソール本体１の裏面に突出して、アウトソール本体１と一体に樹脂成形されている。
【００１７】
第１スタッド３１は、第１屈曲部１４、第２屈曲部１６の間に配置され、第２スタッド３２は、第１屈曲部１４、第３屈曲部１８の間に配置される。第３スタッド３３は、第２屈曲部１６、第４屈曲部２０の間に配置され、第４スタッド３４は、第３屈曲部１８、第６屈曲部２４の間に配置される。第５スタッド３５は、第６屈曲部２４、第５屈曲部２２の間に配置され、第６スタッド３６は、３つの第１、第４、第６屈曲部１４、２０、２４の延長線上の交点に配置される。
【００１８】
６本の後部のスタッド３７〜４２のうち、第７スタッド３７は、母趾球相当部１０の後部近傍に配置され、第８スタッド３８は、小趾球相当部１１の後部近傍に配置されている。残りの４本の第９、第１０、第１１、第１２スタッド３９〜４２は、足の踵相当部１２にまとめて配置されている。
上述した硬質部３は、６本の後部のスタッド３７〜４２の配置の領域にすべて跨って配置されている。硬質部３の存在により、アウトソール本体１の母趾球相当部１０、小趾球相当部１１、踵相当部１２を結ぶ三角形の領域内での硬度が高まるため、スポーツ競技者の運動状態が安定する構成である。
【００１９】
つぎに、本実施形態の作用を説明する。
足の骨は脚部を除き片足で２６個(種子骨は含まず)、両足５２個で構成されており、各骨は靭帯により結合され、骨格が形成されている。靭帯のあるものは骨格の基本的な形を弾力的に保持し、またあるものは骨間にできた関節に自由な動きを与え、あるいは複数の骨で構成される足弓(アーチ)を支え、補強している。
足には骨格が作る４つのばね(足弓)がある。このばねは着地時の衝撃吸収や足底部のなめらかな重心の移動や安定に貢献している。
【００２０】
本実施形態では、足の親指と人差し指の中間相当部１３に、例えば、アウトソール本体１が上に凸の状態で屈曲する第１屈曲部１４を備える。従って、親指と、その他の指（小指、薬指、中指、人差し指）とで、地面を掴む動作を生じさせ易く、親指と、その他の指の動きに自由度が増し、スポーツ競技者の運動が安定する。
【００２１】
本実施形態では、親指のつま先側関節相当部１５に、アウトソール本体１が上にも下にも凸の状態で屈曲する第２屈曲部１６を備える。従って、親指を上下に動かす際などに自由度が増すため、関節に自由な動きを与え、運動性が安定する。
薬指のつま先相当部１７には、アウトソール本体１が上にも下にも凸の状態で屈曲する第３屈曲部１８を備える。そのため、薬指で踏ん張る際などに自由度が増す。
第２屈曲部１６、第３屈曲部１８を境界として、アウトソール本体１の前後部分が、上にも下にも凸の状態で屈曲可能である。そのため、当該境界の足の相当部で踏ん張る際などには、自由度が増すため、運動性が安定する。
【００２２】
本実施形態によれば、足の母趾球相当部１０に対し、アウトソール本体１が上にも下にも凸の状態で屈曲する第４屈曲部２０を備える。そのため、足の母趾球相当部１０において、地面に対し踏ん張る際などに、動作性が安定する。
小趾球相当部１１に、アウトソール本体１が上にも下にも凸の状態で屈曲する第５屈曲部２２を備える。従って、小趾球相当部１１で踏ん張る際などに、動作性が安定する。
第４屈曲部２０、第５屈曲部２２を境界として、アウトソール本体１の前後部分が、上にも下にも凸の状態で屈曲する。そのため、足の母趾球相当部１０及び小趾球相当部１１で踏ん張る際などに、その動作性が安定する。
【００２３】
本実施形態では、薬指のつま先相当部１７と小趾球相当部１１の中間部２３に、アウトソール本体１が上にも下にも凸の状態で屈曲する第６屈曲部２４を備える。この際に、第６屈曲部２４は、第４屈曲部２０とほぼ一直線上に配置されるため、第４屈曲部２０、第６屈曲部２４を境界とした、アウトソール本体１の前後部分が、屈曲可能である。従って、スポーツ競技者の動きに自由度が増し、運動が安定する。
【００２４】
第１〜第６屈曲部１４、１６、１８、２０、２２、２４は、それぞれ凹み溝２５〜３０で形成され、それぞれがアウトソール本体１の側縁部に開放されている。そのため、各屈曲部を境界にして、アウトソール本体１が屈曲する際、アウトソール本体１が上に凸の状態だけでなく、下に凸の状態でも屈曲が可能となっている。
従って、スポーツ競技者の足の様々な動きに対し、アウトソール本体１が上に凸の状態でも下に凸の状態でも屈曲するため、運動性が格段に安定する。そして、スポーツ競技者の足への負担が大幅に軽減される。
【００２５】
本実施形態では、第１〜第６スタッド３１〜３６、及び、第７〜第１２スタッド３７〜４２が、足裏の力を地面に伝える構成である。
そして、第１〜第６スタッド３１〜３６は、第１〜第６屈曲部１４、１６、１８、２０、２２、２４の間に配置されている。
本実施形態では、第１〜第６スタッド３１〜３６、及び、第７〜第１２スタッド３７〜４２は、足裏の力を地面に伝えており、その間に、第１〜第６屈曲部が位置するため、アウトソール本体１が足の動きに応じて、効率よく屈曲する。
従って、スポーツ競技者の足の様々な動きに対し、アウトソール本体１が上に凸の状態でも下に凸の状態でも屈曲するため、運動性が格段に安定する。そして、スポーツ競技者の足への負担が大幅に軽減される。
【００２６】
上述した実施形態は、あくまでも本発明の一態様を示すものであり、本発明の主旨を逸脱しない範囲で任意に変形及び応用が可能である。
上述した実施形態では、アウトソール本体１は、ソールとヒールが一体になっており、足の裏の自然なカーブを下から支える構造となっている。本発明は、これ限定されず、アウトソール本体１は、ソールとヒールが別体でもよい。
アウトソール本体１は、サッカーシューズに限定されず、ランニングシューズや、テニス靴や野球靴などのスポーツ専用靴、パンプスやローファーズなどの一般用革靴、スニーカーや、介護靴や、リハビリ靴などにも適用できる。
【符号の説明】
【００２７】
１  アウトソール本体
２  本体部
３  硬質部
１０  母趾球相当部
１１  小趾球相当部
１２  踵相当部
１３  中間相当部
１４  第１屈曲部
１５  親指のつま先側関節相当部
１６  第２屈曲部
１７  薬指のつま先相当部
１８  第３屈曲部
２０  第４屈曲部
２２  第５屈曲部
２４  第６屈曲部
２５〜３０  凹み溝
３１〜４２  スタッド
【図１】
2020213168.tif 000003
【図２】
2020213168.tif 000004
【図３】
2020213168.tif 000005
【図４】
2020213168.tif 000006
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
アッパーと一体化されて靴を構成する靴のアウトソール構造であって、
アウトソール本体が、足の親指と人差し指の間を縦方向に延びる中間相当部、親指のつま先側関節相当部、及び、薬指のつま先相当部に、足指の動作に関連して屈曲する屈曲部を備え、前記屈曲部が、前記アウトソール本体の裏面に凹み溝を形成して構成され、前記凹み溝が、前記アウトソール本体の側縁部に開放され、奥に向けて幅が狭くなるように形成された、ことを特徴とする靴のアウトソール構造。
【請求項２】
前記アウトソール本体が、足の母趾球相当部、及び、小趾球相当部に、足指の動作に関連して屈曲する屈曲部を備えた、
ことを特徴とする請求項１に記載の靴のアウトソール構造。
【請求項３】
前記アウトソール本体が、前記薬指のつま先相当部と前記小趾球相当部との間に、足指の動作に関連して屈曲する屈曲部を備えた、
ことを特徴とする請求項２に記載の靴のアウトソール構造。
【請求項４】
前記アウトソール本体が、底部全域を構成する本体部と、前記本体部の樹脂よりも硬質材料による硬質部と、により一体に樹脂成形され、
前記硬質部は、前記母趾球相当部と前記小趾球相当部とを結ぶ線から、足の踵相当部に至るまでのほぼ全域に配置されていることを特徴とする請求項１〜３の何れかに記載の靴のアウトソール構造。
【請求項５】
前記アウトソール本体が、スパイクシューズのアウトソール本体であることを特徴とする請求項１〜４の何れかに記載の靴のアウトソール構造。
【請求項６】
前記アウトソール本体の前記屈曲部の間にスタッドが配置されていることを特徴とする請求項５に記載の靴のアウトソール構造。
【手続補正２】
【補正対象書類名】明細書
【補正対象項目名】０００５
【補正方法】変更
【補正の内容】
【０００５】
上記目的を達成するため、本発明は、アッパーと一体化されて靴を構成する靴のアウトソール構造であって、アウトソール本体が、足の親指と人差し指の間を縦方向に延びる中間相当部、親指のつま先側関節相当部、及び、薬指のつま先相当部に、足指の動作に関連して屈曲する屈曲部を備え、前記屈曲部が、前記アウトソール本体の裏面に凹み溝を形成して構成され、前記凹み溝が、前記アウトソール本体の側縁部に開放され、奥に向けて幅が狭くなるように形成された、ことを特徴としている。
【手続補正書】
【提出日】令和3年2月10日(2021.2.10)
【手続補正１】
【補正対象書類名】特許請求の範囲
【補正対象項目名】全文
【補正方法】変更
【補正の内容】
【特許請求の範囲】
【請求項１】
アッパーと一体化されて靴を構成する靴のアウトソール構造であって、
アウトソール本体が、足の親指と人差し指の間を縦方向に延びる中間相当部、親指のつま先側関節相当部、及び、薬指のつま先相当部に、足指の動作に関連して屈曲する屈曲部を備え、前記屈曲部が、前記アウトソール本体の裏面に凹み溝を形成して構成され、前記凹み溝が、前記アウトソール本体の側縁部に開放され、
前記中間相当部の前記屈曲部の凹み溝は、一端が、前記アウトソール本体のつま先先端に開放し、他端が、足の親指と人差し指の間を縦方向に延びて、奥に向けて幅が狭くなるように形成された、ことを特徴とする靴のアウトソール構造。
【請求項２】
前記アウトソール本体が、足の母趾球相当部、及び、小趾球相当部に、足指の動作に関連して屈曲する屈曲部を備えた、
ことを特徴とする請求項１に記載の靴のアウトソール構造。
【請求項３】
前記アウトソール本体が、前記薬指のつま先相当部と前記小趾球相当部との間に、足指の動作に関連して屈曲する屈曲部を備えた、
ことを特徴とする請求項２に記載の靴のアウトソール構造。
【請求項４】
前記アウトソール本体が、底部全域を構成する本体部と、前記本体部の樹脂よりも硬質材料による硬質部と、により一体に樹脂成形され、
前記硬質部は、前記母趾球相当部と前記小趾球相当部とを結ぶ線から、足の踵相当部に至るまでのほぼ全域に配置されていることを特徴とする請求項１〜３の何れかに記載の靴のアウトソール構造。
【請求項５】
前記アウトソール本体が、スパイクシューズのアウトソール本体であることを特徴とする請求項１〜４の何れかに記載の靴のアウトソール構造。
【請求項６】
前記アウトソール本体の前記屈曲部の間にスタッドが配置されていることを特徴とする請求項５に記載の靴のアウトソール構造。
【手続補正２】
【補正対象書類名】明細書
【補正対象項目名】０００５
【補正方法】変更
【補正の内容】
【０００５】
上記目的を達成するため、本発明は、アッパーと一体化されて靴を構成する靴のアウトソール構造であって、アウトソール本体が、足の親指と人差し指の間を縦方向に延びる中間相当部、親指のつま先側関節相当部、及び、薬指のつま先相当部に、足指の動作に関連して屈曲する屈曲部を備え、前記屈曲部が、前記アウトソール本体の裏面に凹み溝を形成して構成され、前記凹み溝が、前記アウトソール本体の側縁部に開放され、前記中間相当部の前記屈曲部の凹み溝は、一端が、前記アウトソール本体のつま先先端に開放し、他端が、足の親指と人差し指の間を縦方向に延びて、奥に向けて幅が狭くなるように形成された、ことを特徴としている。
【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
アッパーと一体化されて靴を構成する靴のアウトソール構造であって、
アウトソール本体が、足の親指と人差し指の間を縦方向に延びる中間相当部、親指のつま先側関節相当部、及び、薬指のつま先相当部に、足指の動作に関連して屈曲する屈曲部を備え、前記屈曲部が、前記アウトソール本体の裏面に凹み溝を形成して構成され、前記凹み溝が、前記アウトソール本体の側縁部に開放され、奥に向けて幅が狭くなるように形成され、前記中間相当部の前記屈曲部の凹み溝は、一端が、前記アウトソール本体のつま先先端に開放し、他端が、足の親指と人差し指の間を靴の前後方向に延びて、前記中間相当部の凹み溝の溝底には、複数条の細かい溝が、靴の前後方向に延びて形成されている、ことを特徴とする靴のアウトソール構造。
【請求項２】
前記アウトソール本体が、足の母趾球相当部、及び、小趾球相当部に、足指の動作に関連して屈曲する屈曲部を備えた、
ことを特徴とする請求項１に記載の靴のアウトソール構造。
【請求項３】
前記アウトソール本体が、前記薬指のつま先相当部と前記小趾球相当部との間に、足指の動作に関連して屈曲する屈曲部を備えた、
ことを特徴とする請求項２に記載の靴のアウトソール構造。
【請求項４】
前記アウトソール本体が、底部全域を構成する本体部と、前記本体部の樹脂よりも硬質材料による硬質部と、により一体に樹脂成形され、
前記硬質部は、前記母趾球相当部と前記小趾球相当部とを結ぶ線から、足の踵相当部に至るまでのほぼ全域に配置されていることを特徴とする請求項１〜３の何れかに記載の靴のアウトソール構造。
【請求項５】
前記アウトソール本体が、スパイクシューズのアウトソール本体であることを特徴とする請求項１〜４の何れかに記載の靴のアウトソール構造。
【請求項６】
前記アウトソール本体の前記屈曲部の間にスタッドが配置されていることを特徴とする請求項５に記載の靴のアウトソール構造。
【手続補正２】
【補正対象書類名】明細書
【補正対象項目名】０００５
【補正方法】変更
【補正の内容】
【０００５】
上記目的を達成するため、本発明は、アッパーと一体化されて靴を構成する靴のアウトソール構造であって、アウトソール本体が、足の親指と人差し指の間を縦方向に延びる中間相当部、親指のつま先側関節相当部、及び、薬指のつま先相当部に、足指の動作に関連して屈曲する屈曲部を備え、前記屈曲部が、前記アウトソール本体の裏面に凹み溝を形成して構成され、前記凹み溝が、前記アウトソール本体の側縁部に開放され、奥に向けて幅が狭くなるように形成され、前記中間相当部の前記屈曲部の凹み溝は、一端が、前記アウトソール本体のつま先先端に開放し、他端が、足の親指と人差し指の間を靴の前後方向に延びて、前記中間相当部の凹み溝の溝底には、複数条の細かい溝が、靴の前後方向に延びて形成されている、ことを特徴としている。
【国際調査報告】
2020213168.tif 000007
2020213168.tif 000008
2020213168.tif 000009
2020213168.tif 000010